(57)【要約】【課題】ガスケットおよび庫内側の扉内板と内箱間にパッキンを配して庫内外間に複数のシール空間を形成することによる有効な熱遮断性能が得られ、且つ、開閉扉時におけるシールパッキンのヒレが対向面に確実に接触するとともに抵抗なく接離できるようにした冷蔵庫を提供する。【解決手段】軟質樹脂により形成され冷蔵庫本体１の開口部周縁２ａへの吸着部11ａを設けて扉内側12の外周に配設されたガスケット11と、このガスケットより庫内８側に位置して設けられ扉側12への取着部15ａとともに貯蔵室を形成する内箱４側へ延出する軟質のヒレ15ｂ、15ｃを設けたシールパッキン15とを備え、閉扉時には、前記シールパッキンのヒレの先端が内箱面４ｂ、４ｄに対して斜め方向から当接するように配設したことを特徴とする。【選択図】  図２
2005207689.tif 000002
【特許請求の範囲】
【請求項１】
軟質樹脂により形成され冷蔵庫本体開口部周縁への吸着部を設けて扉内側の外周に配設されたガスケットと、このガスケットより庫内側に位置して設けられ扉側への取着部とともに貯蔵室を形成する内箱側へ延出する軟質のヒレを設けたシールパッキンとを備え、閉扉時には、前記シールパッキンのヒレの先端が内箱面に対して斜め方向から当接するように配設したことを特徴とする冷蔵庫。
【請求項２】
シールパッキンに複数のヒレを設け、少なくとも第１のヒレの先端を庫内側の段部を形成する内箱の立ち上がり傾斜面に当接し、第２のヒレを内箱の前面フランジを形成する折曲部の傾斜面に当接させたことを特徴とする請求項１記載の冷蔵庫。
【請求項３】
当接面を円弧状の面としてその凹面あるいは凸面に対してヒレの先端を斜めに当接させたことを特徴とする請求項１または２記載の冷蔵庫。
【請求項４】
複数のヒレの間に対向空間面に延出する膨出部を形成したことを特徴とする請求項２または３記載の冷蔵庫。
【請求項５】
ガスケットと一体に庫内側に延出するヒレを形成し、このヒレを内箱の前面フランジを形成する折曲部の外箱鍔部近傍の面に斜め方向から当接させたことを特徴とする請求項１乃至４のいずれかに記載の冷蔵庫。
【発明の詳細な説明】
【技術分野】
【０００１】
本発明は、冷蔵庫の開口部周縁からの熱漏洩を防止する扉ガスケット部のシール構成を改良した冷蔵庫に関する。
【背景技術】
【０００２】
近年、冷蔵庫においては、消費電力量の低減をはかるため、冷却制御のみならずキャビネット断熱構造についても種々の技術施策が検討実施されており、貯蔵室からの熱漏洩として大きな割合を占めるキャビネットの開口と扉との間隙部についても、シール構成として、従来のガスケットによる断熱シールのみでなく、図３に示すように、扉（50）と外箱（42）の前面鍔部に設けたマグネットガスケット（51）とともに、扉内板（52）の内側に収納ポケットを形成するビード（52ｃ）の外面と内箱（44）内面との間に形成されるスロート部（48ａ）に別部材のシールパッキン（55）を配設した、いわゆるダブルシール方式により庫内外の空気流通による熱漏洩を遮断するようにした構成が採用されている（例えば、特許文献１参照）。
【０００３】
このシールパッキン（55）は、ガスケット（51）から離間した内箱（44）の壁面に取付部（55ａ）を取着しており、スロート（48ａ）側に軟質のヒレ（55ｂ）を延出しているものであって、閉扉の際には、前記スロート（48ａ）を形成する扉内板のビード（52ｃ）が庫内に進入することにより、進入したビード（52ｃ）面が前記ヒレ（55ｂ）に当接することで庫内外を遮断し、閉扉中はガスケット（51）と併せて２重の遮断壁により庫内外の熱漏洩を防止するものである。
【特許文献１】特開平１０−２５９９８３公報（図９〜図１４）
【発明の開示】
【発明が解決しようとする課題】
【０００４】
しかしながら、前記特許文献１を含む従来のダブルシール方式におけるシールパッキン（55）は、回転式あるいは引き出し式で出し入れされる扉（50）の内板ビード（52ｃ）に接触し変形してシールするものであり、しかも接触長さがビード（52ｃ）の幅全体に亙るため、扉（50）が進入して接触する際の抵抗が大きく、扉（50）が完全に閉扉しなくなる問題を生じていた。
【０００５】
特に、前記図示の構造のような場合は、シールパッキンのヒレ（55ｂ）の方向が庫内側に延びているため、開扉時における抵抗がより増大するものであり開扉負担が大きくなる欠点があるばかりでなく、上記のように接触時の抵抗が大きい場合は、開閉の都度こすれ音が発生するため、使用者に不快感を与える原因にもなっていた。
【０００６】
また、前記スロート（48ａ）の幅寸法は本体に対する扉（50）の取付位置や断熱箱成形時における内箱（44）位置によりばらつくものであり、ばらつき寸法によっては扉（50）が本体に対して基本的に平行移動する関係上、ヒレ（55ｂ）の先端が対向面に接触しない場合が生じていた。
【０００７】
本発明は上記点を考慮してなされたもので、ガスケットおよび庫内側の扉内板と内箱間にパッキンを配して庫内外間に複数のシール空間を形成することによる有効な熱遮断性能が得られ、且つ、開閉扉時におけるシールパッキンのヒレが対向面に確実に接触するとともに抵抗なく接離できるようにした冷蔵庫を提供することを目的とする。
【課題を解決するための手段】
【０００８】
上記課題を解決するために、本発明の冷蔵庫は、軟質樹脂により形成され冷蔵庫本体開口部周縁への吸着部を設けて扉内側の外周に配設されたガスケットと、このガスケットより庫内側に位置して設けられ扉側への取着部とともに貯蔵室を形成する内箱側へ延出する軟質のヒレを設けたシールパッキンとを備え、閉扉時には、前記シールパッキンのヒレの先端が内箱面に対して斜め方向から当接するように配設したことを特徴とするものである。
【発明の効果】
【０００９】
本発明の冷蔵庫によれば、複数のシール空間の形成により庫内外の熱遮断を有効におこなうことができて熱漏洩を防ぎ消費電力量の低減に貢献できるとともに、シールパッキンのヒレを対向面に接触不良となることなく確実に当接でき、且つ、対向面との接触の際にも抵抗なく接離することができて不完全な閉扉やこすれ音が発生することのないシール構成を得ることができる。
【発明を実施するための最良の形態】
【００１０】
以下、図面に基づき本発明の１実施形態について説明する。図１に概略の縦断面図を示す冷蔵庫本体（１）は、外箱（２）と断熱層（３）を介して設けた内箱（４）によって、内部に貯蔵空間を形成しており、貯蔵空間の前面開口部をいくつかの断熱された仕切壁（５）で区分することで、庫内に複数の独立空間を形成し、それぞれを冷蔵室（６）や野菜室（７）、冷凍室（８）など食品の貯蔵温度に適した所定の温度帯に冷却制御している。
【００１１】
各貯蔵室の開口部には、それぞれ冷蔵室扉（９）や冷凍室扉（10）などの開閉扉を設けており、各扉中、冷蔵室扉（９）は、前面開口部の一側の上下に取り付けたヒンジにその一側を枢支することで回動自在に設けられているが、冷凍室（８）他の貯蔵室扉は、引出し式に形成されている。
【００１２】
前記各扉の裏面周縁には、マグネットガスケット（11）が取り付けられている。一例として、冷凍室（８）の下方部分における閉扉直前状態の拡大縦断面図である図２に示すように、ガスケット（11）は、本体（１）の外形を形成する外箱（２）の前面開口部周縁に形成した鍔部（２ａ）と冷凍室扉（10）の裏面側周縁との間隙を密閉シールして内箱（４）で形成された冷凍室内（８）と外部とを熱的に遮断し、本体壁面の内外箱間に充填した断熱材（３）と併せて熱漏洩を防止し、冷凍室（８）内を所定の冷凍温度に制御保持している。
【００１３】
マグネットガスケット（11）の構成は、上記いずれの貯蔵室扉においても基本的に同一であり、軟質ゴムと磁性体粉末とを混合形成した断面方形で長尺のひも状軟質体からなる磁石（11ａ）を挿入保持したマグネット保持部（11ｂ）、扉内板（12）側への取付部（11ｃ）、およびこれらを伸縮自在に連結する薄肉の袋状部（11ｄ）からなる断面形状を有し、軟質合成樹脂によって長尺のひも状に押出成形されたものを、４５度の傾斜角をもって切断し、その端面を突き合わせて加熱溶着加工することにより、扉（10）の裏面周縁に沿った枠状に形成したものである。
【００１４】
そして、取付部（11ｃ）は、厚肉の基部から下方に突出したくさび形のアンカー形状をしており、扉内板（12）の４周縁にアンダーカット形成した取付凹溝（12ａ）に嵌入することで、ガスケット（11）が抜け出ることのないよう保持しているものである。袋状部（11ｄ）は、前記マグネット保持部（11ｂ）と取付部（11ｃ）とをそれぞれの両側から０．３〜０．４ｍｍ厚の薄肉材で連結して袋状に形成したものであり、この袋状部（11ｄ）によってガスケット（11）を扉（10）の開閉方向である図２における左右方向に伸縮可能とし、開扉時におけるマグネット保持部（11ｂ）の吸着力を吸収して開扉力を緩和し、閉扉時における磁石（11ａ）の外箱鍔部（２ａ）への飛び付き代と閉扉力の緩衝作用を有している。
【００１５】
そして、マグネット保持部（11ｂ）の庫内側に繋がる袋状部（11ｃ）には、本体（１）の前面開口を形成する外箱の鍔部（２ａ）に連なる内箱鍔部（４ａ）を形成する円弧状部（４ｂ）に向かって軟質ヒレ（11ｅ）を延出し、閉扉の際には、マグネット保持部（11ｂ）とともに前記軟質ヒレ（11ｅ）が円弧状部（４ｂ）の凸曲面に対して斜め方向から当接するように形成している。
【００１６】
このように形成したマグネットガスケット（11）は、前記マグネット保持部（11ｂ）が、磁石（11ａ）の磁力によって、薄鋼板製の外箱（２）の前面開口を形成する鍔部（２ａ）の面に吸着することで、冷凍室内（８）と庫外との間とを気密にシールし熱遮断するものである。なお、ガスケットの取付部（11ｃ）については、前記のように扉内板の取付凹溝（12ａ）へ嵌入させる構成に限らず、接着やネジ固定方式でもよく、さらには、扉側部品と軟質樹脂によるガスケットとを一体成形した構成にでもよい。
【００１７】
しかして、前記マグネットガスケット（11）より庫内側の扉内板（12）には、ガスケットから所定の間隔を設けてパッキン（15）を取着する。パッキン（15）は、扉内板（12）に一体形成した係止凸起（12ｂ）に嵌合する硬質材からなる固定部（15ａ）と、固定部（15ａ）の前記ガスケット（11）側の端部から対向側に垂直に延出し、前記ガスケットの軟質ヒレ（11ｅ）より庫内側における内箱鍔部（４ａ）の円弧状部（４ｂ）の曲面に当接する第１のシールヒレ（15ｂ）、および同様に固定部（15ａ）の庫内側の端部から対向面にほぼ水平に延出して下降し、内箱（４）の庫内側に段部（４ｃ）を形成している立ち上がり基部の円弧状面（４ｄ）に当接する第２のシールヒレ（15ｃ）を有している。
【００１８】
そして、前記第１および第２のシールヒレ（15ｂ）（15ｃ）は、前記硬質部（15ａ）と一体に形成した軟質体からなり、冷凍室扉（10）の閉扉の際には、第１のシールヒレ（15ｂ）は、閉扉方向に対して垂直に延びる先端延出部が内箱鍔部（４ａ）の円弧状凸面（４ｂ）に対して斜めに当接し、第２のシールヒレ（15ｃ）は、閉扉方向に対してほぼ水平に延びて下降する先端延出部が内箱の段部（４ｃ）の立ち上がり部の凹面（４ｄ）に対して斜め方向から当接するように形成されている。
【００１９】
すなわち、双方のシールヒレ（15ｂ）（15ｃ）とも対向面（４ｂ）（４ｄ）に対しては、相対的に水平でも垂直でもなく斜め方向から当接するものであり、面に対するヒレは垂直ではなく傾斜角度を形成して当接するものである。
【００２０】
また、前記第１のシールヒレ（15ｂ）と第２のシールヒレ（15ｃ）との間における固定部（15ａ）からは閉ループとなる袋状部（15ｄ）を形成し、対向面に延びる袋部分は、閉扉の際にも内箱面（４）に近接する程度とし、当接しないように配設する。
【００２１】
これは、袋状部（15ｄ）によって第１および第２のシールヒレ（15ｂ）（15ｃ）間の空間体積を小さく区分して該部における空気対流を発生させないようにし、対流による熱移動を防ぎ、熱遮断効果を大きくするためであり、また、開閉扉の際には、袋状部（15ｄ）が対向する内箱の水平面に当接しないため、こすれることによる摩擦抵抗で、閉扉不良やこすれ音が発生する問題を防いでいる。なお、特に図示しないが、前記袋状部（15ｄ）に代えて固定部（15ａ）に軟質スポンジテープを貼り付けることでも同様の効果を奏することができる。
【００２２】
本発明は上記のように構成されており、マグネットガスケット（11）による閉扉吸着力を損なうことなく冷凍室（８）内と庫外間の熱漏洩を確実に遮断して冷却効率を向上させ、消費電力を低減することができるものであり、閉扉の際には、マグネットガスケット（11）が外箱の鍔部（２ａ）に吸着するとともに、パッキン（15）の第１および第２のシールヒレ（15ｂ）（15ｃ）がガスケット（11）より庫内側の内箱面（４）に当接するため、冷凍室（８）内と庫外とは、ガスケット（11）部とパッキン（15）部とこれらの間の少なくとも３カ所の小空間で熱遮断されることになり、良好な断熱効果によって庫内外の熱漏洩を抑制することができる。
【００２３】
同時に、第１のシールヒレ（15ｂ）は、閉扉方向に対して垂直に垂下しているが、閉扉とともに先端延出部が内箱鍔部（４ａ）の円弧状凸面（４ｂ）に対して斜め角度で当接するため、多少の寸法ばらつきが存在してもヒレ（15ｂ）の先端は容易に変形することから、当接時点から閉扉までの抵抗とはならず、外箱との間に隙間を生じて閉扉不良となるおそれはない。
【００２４】
また、第２のシールヒレ（15ｃ）は、閉扉方向に対してほぼ水平に庫内（８）に延びているが、内箱の段部（４ｃ）の立ち上がり部の凹面（４ｄ）に対してヒレ先端の延出部を下方へ傾斜させており、図に示す閉扉時にはヒレ先端が内箱の段部（４ｃ）を形成している立ち上がり基部の円弧状面（４ｄ）に斜めに当接するため、この第２のシールヒレ（15ｃ）も、閉扉してヒレ先端が内箱面（４ｄ）に当接した際には、ヒレは反発することなく容易に変形してするものであり、ガスケットのマグネット保持部（11ｂ）の外箱鍔部（２ａ）への吸着を阻害しない。
【００２５】
そして、開扉時には、前記シールヒレ（15ｂ）（15ｃ）は、内箱の鍔部近傍の円弧状凸面（４ｂ）や段部の立ち上がり部凹面（４ｄ）に、水平でも垂直でもなく斜めに当接していることから、冷凍室扉（10）が外箱鍔部（２ａ）から離間した際にはパッキン（15）は抵抗体となることなくスムーズに内箱（４）の面から離れるため、従来のように開扉動作の当初に、シールパッキンが内箱面をこすって摩耗したり、こすれ音を発生させて使用者に不快感を与えることをなくすことができる。
【００２６】
また、ガスケット（11）から延出させた前記軟質ヒレ（11ｅ）は、マグネット保持部（11ｂ）が吸着する外箱鍔部（２ａ）に隣接した内箱鍔部（４ａ）の円弧状凸面（４ｂ）に当接して小空間を形成するため、熱遮断効果がさらに向上するとともに、良熱伝導体である薄鋼板製の外箱（４）への庫内冷却空気の熱移動をさらに少なくすることができ、熱漏洩防止効果を向上させることができるものである。
【００２７】
このとき、この軟質ヒレ（11ｅ）の先端は、内箱鍔部（４ａ）の庫内側への折曲部である円弧状の凸面（４ｂ）に斜めに当接するものであり、内箱との当接や離間時の作用が上記シールヒレ（15ｂ）（15ｃ）の場合と同様になるため、当接力をそらせることによって閉扉時の抵抗力とならず、あるいは開扉における対向面とのこすれによる摩耗や音の発生を防ぐことができる。
【００２８】
なお、上記実施例においては、冷凍室（）の前面開口部における外箱（２）と内箱（４）との係合鍔部（２ａ）（４ａ）に対向する扉（９）裏面のマグネットガスケット構成について説明したが、本発明はこれに限定されるものではなく、冷蔵室（６）や野菜室（７）など他の貯蔵室扉のシール構成として適用できるものであり、各貯蔵室間を区分する仕切壁（５）におけるマグネットガスケットとパッキンとのダブルシール構成にも適用できるものであることはいうまでもない。
【産業上の利用可能性】
【００２９】
本発明は、本体開口部と開閉扉との間における熱遮断性能を向上した冷蔵庫に利用することができる。
【図面の簡単な説明】
【００３０】
【図１】本発明における冷蔵庫の概略を示す縦断面図である。
【図２】本発明の１実施形態を示す扉ガスケットとパッキン部の拡大断面図である。
【図３】従来の扉ガスケット部を示す断面図である。
【符号の説明】
【００３１】
１  冷蔵庫本体            ２  外箱                ２ａ  外箱鍔部
３  断熱層                ４  内箱                ４ａ  内箱鍔部
４ｂ  円弧状凸部          ４ｃ  段部              ４ｄ  円弧状凹部
５  仕切壁                ８  冷凍室内            10  冷凍室扉
11  マグネットガスケット      11ａ  磁石          11ｂ  マグネット保持部
11ｃ  取付部              11ｄ  袋状部            11ｅ  軟質ヒレ
12  扉内板                12ａ  取付凹溝          12ｂ  係止凸起
15  パッキン              15ａ  固定部            15ｂ  第１のシールヒレ
15ｃ  第２のシールヒレ    15ｄ  袋状部
【図１】
2005207689.tif 000003
【図２】
2005207689.tif 000004
【図３】
2005207689.tif 000005